(57)【特許請求の範囲】
【請求項１】
第一のフレーム要素と、この第一のフレーム要素に一体に連続するとともに前記第一のフレーム要素とは異なる方向に延びる第二のフレーム要素とを有した椅子本体と、この椅子本体に支持されたメモ台とを備えてなる椅子であって、
前記メモ台が、天板とこの天板を支持する支持体本体とを有したメモ台本体と、前記支持体本体のメモ台フレームを支持するとともに前記第一、第二のフレーム要素を包みこんで保持し得る取付機構とを備えているものであり、
前記第一のフレーム要素が、後脚における前脚の上端と接続する部位及び上下方向に延びる棒状の部分であり、
前記第二のフレーム要素が、前記前脚における前記後脚と接続する部位及び前後方向に延びる棒状の部分であり、
前記取付機構が、第一の取付部材と第二の取付部材とを備えたものであり、
前記第一の取付部材と第二の取付部材との間に位置させた前記第一、第二のフレーム要素を、前記第一、第二の取付部材によって挟んで支持するように構成されている椅子。
【請求項２】
前記椅子本体が、パイプ材を主体に構成された前記前脚及び前記後脚を有した脚フレームと、この脚フレームに支持された肘掛けと、前記脚フレームに直接又は間接的に支持された背凭れと、前記脚フレームに支持された座とを備えたものである請求項１記載の椅子。
【請求項３】
前記第一、第二のフレーム要素が、それぞれ丸型のパイプ材により形成されたものである請求項１又は２記載の椅子。
【請求項４】
前記第一の取付部材が、前記第一のフレーム要素の外側及び前記第二のフレーム要素の外側に配されたものであり、
前記第二の取付部材が、前記第一のフレーム要素の内側及び前記第二のフレーム要素の内側に配されたものである請求項１、２又は３記載の椅子。
【請求項５】
前記メモ台フレームが、第一のメモ台フレーム要素と、この第一のメモ台フレーム要素に一体に連続するとともに前記第一のメモ台フレーム要素とは異なる方向に延びる第二のメモ台フレーム要素とを有したものであり、
前記第一の取付部材と前記第二の取付部材との間に位置させた前記第一、第二のメモ台フレーム要素を、前記第一、第二の取付部材によって挟んで支持するようにしている請求項１、２、３又は４記載の椅子。
【請求項６】
前記椅子本体が、使用位置と跳ね上げ位置との間で位置変更可能な座を備えたものであり、
前記メモ台が、使用位置と退避位置との間で位置変更可能な前記天板とを備えたものであり、
前記座を前記跳ね上げ位置に保持した状態、及び、前記天板を前記退避位置に保持した状態で、同一構造をなす他の椅子と前後方向にネスティングし得るように構成されている請求項１、２、３、４又は５記載の椅子。
【発明の詳細な説明】
【技術分野】
【０００１】
本発明は、事務用や学校用等として好適に使用される椅子に関する。
【背景技術】
【０００２】
従来から、椅子本体にメモ台を着脱可能に支持させた椅子が知られている（例えば特許文献１参照）。
【０００３】
ところが、この種の従来の椅子は、椅子本体にメモ台を支持させるための特別な支持構造を設けているものが殆どであり、椅子本体に対する設計の自由度が制限されるものとなっていた。
【０００４】
なお、以上の事情は、メモ台に限られず、肘掛け等のオプションを椅子本体に支持させたものにおいても同様である。
【先行技術文献】
【特許文献】
【０００５】
【特許文献１】特開２０００−２７９２６４号公報
【発明の概要】
【発明が解決しようとする課題】
【０００６】
本発明は、以上のような事情に着目してなされたものであり、少なくとも、椅子本体にオプションを支持させることができる椅子において、椅子本体にオプションを支持させるための特別な構造が要求されにくく、椅子本体の設計の自由度に優れた椅子を提供することにある。
【課題を解決するための手段】
【０００７】
すなわち、本発明は次の構成をなしている。
【０００８】
請求項１に記載の椅子は、第一のフレーム要素と、この第一のフレーム要素に一体に連続するとともに前記第一のフレーム要素とは異なる方向に延びる第二のフレーム要素とを有した椅子本体と、この椅子本体に支持されたメモ台とを備えてなる椅子であって、前記メモ台が、天板とこの天板を支持する支持体本体とを有したメモ台本体と、前記支持体本体のメモ台フレームを支持するとともに前記第一、第二のフレーム要素を包みこんで保持し得る取付機構とを備えているものであり、前記第一のフレーム要素が、後脚における前脚の上端と接続する部位及び上下方向に延びる棒状の部分であり、前記第二のフレーム要素が、前記前脚における前記後脚と接続する部位及び前後方向に延びる棒状の部分であり、前記取付機構が、第一の取付部材と第二の取付部材とを備えたものであり、前記第一の取付部材と第二の取付部材との間に位置させた前記第一、第二のフレーム要素を、前記第一、第二の取付部材によって挟んで支持するように構成されているものである。
【０００９】
請求項２に記載の椅子は、請求項１記載の構成において、前記椅子本体が、パイプ材を主体に構成された前記前脚及び前記後脚を有した脚フレームと、この脚フレームに支持された肘掛けと、前記脚フレームに直接又は間接的に支持された背凭れと、前記脚フレームに支持された座とを備えたものである。
【００１１】
請求項３に記載の椅子は、請求項１又は２記載の構成において、前記第一、第二のフレーム要素が、それぞれ丸型のパイプ材により形成されたものである。
【００１３】
請求項４に記載の椅子は、請求項１、２又は３記載の構成において、前記第一の取付部材が、前記第一のフレーム要素の外側及び前記第二のフレーム要素の外側に配されたものであり、前記第二の取付部材が、前記第一のフレーム要素の内側及び前記第二のフレーム要素の内側に配されたものである。
【００１４】
請求項５に記載の椅子は、請求項１、２、３又は４記載の構成において、前記メモ台フレームが、第一のメモ台フレーム要素と、この第一のメモ台フレーム要素に一体に連続するとともに前記第一のメモ台フレーム要素とは異なる方向に延びる第二のメモ台フレーム要素とを有したものであり、
前記第一の取付部材と前記第二の取付部材との間に位置させた前記第一、第二のメモ台フレーム要素を、前記第一、第二の取付部材によって挟んで支持するようにしている請求項１、２、３又は４記載の椅子。
【００１５】
請求項６に記載の椅子は、請求項１、２、３、４又は５記載の構成において、前記椅子本体が、使用位置と跳ね上げ位置との間で位置変更可能な座を備えたものであり、前記メモ台が、使用位置と退避位置との間で位置変更可能な前記天板とを備えたものであり、前記座を前記跳ね上げ位置に保持した状態、及び、前記天板を前記退避位置に保持した状態で、同一構造をなす他の椅子と前後方向にネスティングし得るように構成されている。
【発明の効果】
【００１６】
以上説明したように本発明によれば、椅子本体にオプションを支持させるための特別な構造が要求されにくく、椅子本体の設計の自由度に優れた椅子を提供することができるものとなる。
【図面の簡単な説明】
【００１７】
【図１】本発明の一実施形態を示す斜視図。
【図２】同実施形態における側面図。
【図３】同実施形態における背面図。
【図４】同実施形態における底面図。
【図５】同実施形態におけるスタッキング状態を示す側面図。
【図６】同実施形態におけるスタッキング状態を示す平面図。
【図７】同実施形態における分解斜視図。
【図８】同実施形態における拡大した分解斜視図。
【図９】同実施形態における拡大した分解斜視図。
【図１０】他の実施形態を説明するための概略側面図。
【図１１】他の実施形態を説明するための概略側面図。
【発明を実施するための形態】
【００１８】
以下、本発明の一実施形態を、図１〜９を参照して説明する。
【００１９】
この実施形態は、本発明を前後方向にネスティング可能な椅子Ｃ、換言すれば水平方向にスタッキング可能な椅子Ｃに適用したものである。椅子Ｃは、図５及び６において具体的に示すように、座４を跳ね上げ位置（Ｈ）に保持した状態、及び、メモ台５の天板５１を退避位置（Ｓ）に保持した状態で、同一構造をなす他の椅子Ｃと前後方向にネスティングし得るように構成されている。
【００２０】
椅子Ｃは、第一のフレーム要素１１ａを有した後脚１１と、この後脚１１の第一のフレーム要素１１ａに連続するとともに当該第一のフレーム要素１１ａの延びる方向とは異なる方向に延びる第二のフレーム要素１２ａを有した前脚１２とを備えた椅子本体Ｃ１と、この椅子本体Ｃ１に着脱可能に支持されたオプションたるメモ台５とを主体に構成されている。メモ台５は、椅子本体Ｃ１における右側の後脚１１及び前脚１２に対して取り付けられている。この実施形態では、第一のフレーム要素１１ａは、後脚１１を構成するものであり、第二のフレーム要素１２ａが前脚１２を構成するものである。
【００２１】
椅子本体Ｃ１は、メモ台５が接続する部位を有した脚フレーム１と、この脚フレーム１に支持された肘掛け２と、この肘掛け２を介して前記脚フレーム１に支持された背凭れ３と、前記脚フレーム１に対して使用位置（Ｕ）と跳ね上げ位置（Ｈ）との間で回動可能に支持された座４とを備えている。
【００２２】
以下、この椅子Ｃについて詳述する。
【００２３】
脚フレーム１は、金属製の丸型のパイプ材を主体にして構成されたものである。
。脚フレーム１は、下端にキャスタ１１１を有した左右の後脚１１と、下端にキャスタ１２１を有するとともに上端を前記左右の後脚１１の上部に接続した左右の前脚１２と、これら左右の前脚１２の中間部同士を繋ぐ連結部材たる第一の横架材１３と、この第一の横架材１３よりも後側の位置において前記左右の前脚１２同士を繋ぐ連結部材たる第二の横架材１４とを備えてなる。
【００２４】
左右の後脚１１は、上部側が下部側よりも前側に位置するように前傾した態様で上下方向に延びてなるものであり、その上部は肘掛け２及び背凭れ３を支持するための肘掛け２及び背凭れ３を支持するための支持フレームとしての役割を担っている。後脚１１の上端部には、背板３１と一体に形成された肘掛け２が装着されるようになっている。
【００２５】
左右の後脚１１には、丸型のパイプ材により形成された第一のフレーム要素１１ａを有している。この実施形態では、第一のフレーム要素１１ａは、後脚１１の上部における前脚１２と接続する部位及びその近傍の部位となっている。より具体的には、第一のフレーム要素１１ａは、後脚１１における前脚１２の上端と接続する部位及びその近傍の上下方向に延びる棒状の部分である。すなわち、第一のフレーム要素１１ａは、前脚１２の上端と近接した後脚１１における所定の上下方向に長い棒状の部分であって、上部側が下部側よりも前側に位置するように前傾した態様で上下方向に略直線状に延びてなる部分である。
【００２６】
後脚１１は、上端部に細径をなす柱状の芯材である図示しない肘掛け接続部を備えており、この肘掛け接続部に後述する肘掛け２の取付部２３が外嵌して装着されるようになっている。左右の前脚１２の総幅すなわち離間幅は、ネスティングを可能とするべく、後脚１１の離間幅よりも狭くなっている。
【００２７】
後脚１１は、内面側の所定の位置に合成樹脂製の緩衝部材１１２を取り付けてある。この緩衝部材１１２は、ネスティング時に同一形状をなす他の椅子Ｃの前脚１２やメモ台５における取付機構５ｂと当たり得るものであり、衝撃を緩和する役割を担っている。この実施形態では、ネスティング時において、他の椅子Ｃにおける第一の取付部材５５の下端近傍の部位が、椅子Ｃの緩衝部材１１２に当たり得るように設定されている。
【００２８】
左右の前脚１２は、上部側が下部側よりも後側に位置するように後傾した態様で上下方向に延びてなるものである。
【００２９】
左右の前脚１２には、丸型のパイプ材により形成された第二のフレーム要素１２ａを有している。この実施形態では、第二のフレーム要素１２ａは、前脚１２の上部である。より具体的には、第二のフレーム要素１２ａは、前脚１２における前記後脚１１と接続する部位及びその近傍の前後方向に延びる棒状の部分である。すなわち、第二のフレーム要素１２ａは、後脚１１に近接して位置している前脚１２における所定の前後方向に長い棒状の部分であって、下部側が上部側よりも側面視において前側に位置するように前傾した態様で上下方向に延びてなる部分である。
【００３０】
前脚１２は、上端から下端に向かって、まず、内方且つ斜め前方に向かって延び、次いで、曲がり部１２２を介して、前方に向かって延びている。換言すれば、この実施形態における、第二のフレーム要素１２ａは前方に向かって曲がる曲がり部１２２を含んでいる。
【００３１】
左右の前脚１２には、前記第一の横架材１３及び第二の横架材１４が連結されている。前脚１２の上端は、溶接により後脚１１の内周面側に接続している。より具体的には、前脚１２の上端は、溶接により後脚１１の内周面側における前側の部分に接続している。
【００３２】
第一の横架材１３は、正面視において上向き凸状をなすように形成されたものであり、その左右方向中間部に左右方向に水平に延びる水平部１３１を備えている。水平部１３１は、使用位置（Ｕ）にある座４の下面、より具体的には、使用位置（Ｕ）にある座４における座裏カバー４４の下面に添接するものであり、当該座４を下方から受け止めるようになっている。
【００３３】
第二の横架材１４は、左右両端部に配され座４を枢支する軸部を構成する枢支部１４１を備えている。
【００３４】
次いで、肘掛け２について説明する。
【００３５】
肘掛け２は、着座者の肘を支持し得るものであり、この実施形態では、背凭れ３を脚フレーム１に支持させる機能を兼ねている。すなわち、肘掛け２は、前端部を上下方向に延びる取付部２３を介して脚フレーム１における後脚１１の上部に支持させるとともに後端部を後述する背板３１の張り出し部３１２に接続した主支持部材２１と、この主支持部材２１の下側に離間させて設けられ前端部を前記取付部２３を介して前記脚フレーム１に支持させるとともに後端部を前記張り出し部３１２に接続した補助支持部材２２とを備えている。この実施形態では、肘掛け２と後述する背凭れ３の背板３１とが合成樹脂により一体に形成されている。
【００３６】
主支持部材２１は、上面に肘当て面２１ｓを有したものであり、前後方向に延びる矩形棒状のものである。主支持部材２１は、補助支持部材２２と協働して背板３１を支持する役割を担う。主支持部材２１の前端部は後脚１１に装着される取付部２３の上部に一体に連設されている。主支持部材２１の後端は前記背板３１の張り出し部３１２に一体に連設されている。主支持部材２１は、側面視において後部側が前部側よりも上に位置するように略水平から若干前傾した姿勢をなしている。主支持部材２１の前端部２１１は、前方に向かって取付部２３の前側の外面２３ｓよりも前側に突出した形状をなしており、着座者が手を掛け易い形状になっている。
【００３７】
補助支持部材２２は、前後方向に延びる矩形棒状のものであり、主支持部材２１と協働して背板３１を支持する役割を担うものである。補助支持部材２２の前端は、前記取付部２３の下部に一体に連設されている。補助支持部材２２の後端は、前記背板３１の張り出し部３１２に一体に連設されている。補助支持部材２２は、側面視において主支持部材２１よりも後部側が前部側よりも上に位置するように前傾した姿勢をなしている。
【００３８】
主支持部材２１と補助支持部材２２は、互いに離れた位置に配されており、且つ、側面視において平行にならない態様で配されている。換言すれば、肘掛け２は、主支持部材２１と補助支持部材２２とが非平行に配されたものとなっている。また、補助支持部材２２は、主支持部材２１よりも側面視において厚肉に形成されている。補助支持部材２２は、脚フレーム１の上端部が延びる方向に対して略垂直に延びるように設けられている。換言すれば、補助支持部材２２は、後脚１１の上端部における前側面や後側面に対して略直角となる方向に延びている。
【００３９】
取付部２３は、下方に開口した円筒状のものであり、後脚１１の上端部に外嵌され、取付部２３の後部から挿通されたねじｎにより後脚１１に対して止着されるようになっている。
【００４０】
次いで背凭れ３について説明する。
【００４１】
背凭れ３は、肘掛け２とともに合成樹脂により一体に形成された背板３１を主体に構成されたものである。背凭れ３は、側縁に張り出し部３１２を備えている。より具体的に言えば、背凭れ３は、正面視において略矩形状をなす背板本体３１１と、この背板本体３１１の側縁における上下方向中間部から外方に突出した張り出し部３１２とを備えている。
【００４２】
なお、背凭れ３の側端部たる張り出し部３１２の前端縁、肘掛け２の主支持部材２１の下端縁、補助支持部材２２の上端縁、及び、取付部２３の後端縁とによって、側面視において枠状に囲まれた部分である左右方向開口部Ｋが形成されている。左右方向開口部Ｋは、内側に左右方向に連通する連通空間ｒｋを有している。
【００４３】
続いて座４について説明する。
【００４４】
座４は、パイプ材を主体に構成された図示しない座支持フレームと、この座支持フレーム上に配された図示しない座板と、この座板の上面側を被覆する被覆部材４３と、前記座支持フレームの主要部分及び座板の裏側を下方からカバーするための座裏カバー４４とを備えたものである。この座４は、脚フレーム１の枢支部１４１に回動可能に支持されており、使用位置（Ｕ）と跳ね上げ位置（Ｈ）との間で回動可能に構成されている。なお、座支持フレームには第二の横架材１４の枢支部１４１に対して回動可能に係わり合う図示しない軸保持部材が設けられている。
【００４５】
続いて、椅子本体Ｃ１に支持されたオプションであるメモ台５について説明する。
【００４６】
メモ台５は、オプション本体たるメモ台本体５ａと、このメモ台本体５ａを支持するとともに椅子本体Ｃ１における第一、第二のフレーム要素１１ａ、１２ａを共に支持する取付機構５ｂとを備えている。
【００４７】
まず、メモ台本体５ａについて詳述する。
【００４８】
メモ台本体５ａは、略水平方向に沿って位置する使用位置（Ｔ）と上下方向に垂下する退避位置（Ｓ）との間で位置変更可能な略矩形板状をなす天板５１と、この天板５１を支持する支持体本体５２とを備えている。
【００４９】
天板５１は、矩形平板状をなすものであり、使用位置（Ｔ）において上面側に使用者の書面等の身の回り品を載置させ得るものである。天板５１は、座４よりも小さな面積に設定されている。
【００５０】
支持体本体５２は、第一、第二フレーム部材５２１、５２２とを主体に構成されたメモ台フレーム５２ａと、このメモ台フレーム５２ａの上端部に設けられ前記天板５１を使用位置（Ｔ）と退避位置（Ｓ）との間で変更可能に支持させた天板支持機構５２ｂとを具備している。
【００５１】
メモ台フレーム５２ａは、後方から前方に向かって斜め上方に延びてなり第一のメモ台フレーム要素たる下部フレーム５２１ａを有した第一フレーム部材５２１と、この第一フレーム部材５２１の下部フレーム５２１ａに溶接により接続されて連続し前記下部フレーム５２１ａとは異なる方向である前後方向に延びる第二のメモ台フレーム要素たる第二フレーム部材５２２とを備えてなる。メモ台フレーム５２ａは、脚フレーム１における右側（正面視左側）の後脚１１及び前脚１２の外側に配されている。
【００５２】
第一フレーム部材５２１は、側面視略くの字状をなすものであり、右側の後脚１１の外側に略沿って配される第一のメモ台フレーム要素たる下部フレーム５２１ａと、この下部フレーム５２１ａの上端部から屈曲部５２１ｂを介して連設され前方に向かって延びる上部フレーム５２１ｃとを備えている。
【００５３】
第二フレーム部材５２２は、第二のメモ台フレーム要素を構成するものであり、上端部が前記下部フレーム５２１ａに接続され、且つ、前脚１２の上部に沿って当該前脚１２の外側に配されている。第二フレーム部材５２２は、前脚１２の上部における斜め前側に位置し、前脚１２に沿うように配されている。第二フレーム部材５２２の上端は、溶接により第一フレーム部材５２１における下部フレーム５２１ａの内周面に接続している。より具体的には、第二フレーム部材５２２の上端は、溶接により下部フレーム５２１ａの内周面側における前側の部分に接続している。そして、第二フレーム部材５２２は、上端から下端に向かって、まず、内方且つ斜め前方に向かって延び、次いで、曲がり部５２２ｃを介して、前方に向かって延びている。
【００５４】
第二フレーム部材５２２は、下端部の外側に第一の取付部材５５の被係合部たる係合突部５５４ｄと係合し得る第一の係合部たる外側の切欠部５２２ａ、及び、下端部の内側に第二の取付部材５６の被係合部たる係合突部５６４ｄと係合し得る第二の係合部たる内側の切欠部５２２ｂを備えている。外側の切欠部５２２ａは、第一の取付部材５５の係合突部５５４ｄと密に嵌合する大きさに設定されている。内側の切欠部５２２ｂは、第二の取付部材５６の係合突部５６４ｄと密に嵌合する大きさに設定されている。
【００５５】
天板支持機構５２ｂは、メモ台フレーム５２ａの上端部に前後方向に回転可能に設けられた第一の回転支持部５２３と、この第一の回転支持部５２３に対して左右方向に回転可能に設けられた第二の回転支持部５２４と、この第二の回転支持部５２４に一体的に設けてなり前記天板５１の裏面にビス等を介して取り付けた取付板５２５とを具備してなるものである。
【００５６】
第二の回転支持部５２４には、図６に示すように、その上端に、上方に向かって突出した態様で樹脂製の摩擦部５２４ａが設けられている。この摩擦部５２４ａは、天板５１が水平方向に沿った位置（すなわち使用位置）と略鉛直方向に沿った位置との間で移動する際に、取付板５２５と一時的に摩擦係合し得るように構成されている。特に、この実施形態では、使用者が、天板５１を略鉛直方向に沿った位置から水平方向に沿った位置に遷移させる初期の段階で、前記摩擦部５２４ａが、取付板５２５の下面と一時的に摩擦係合するようになっており、天板５１が急激に水平方向に移動してしまわないようにしてある。
【００５７】
メモ台５の天板５１を使用位置（Ｔ）から退避位置（Ｓ）まで折り畳む場合には、次のように行われる。先ず、前記天板５１を略水平方向に沿った位置から略鉛直方向に沿った位置まで第二の回転支持部５２４を利用して左右方向に回転させる。次いで、鉛直方向に沿った位置まで遷移した前記天板５１を、第一の回転支持部５２３を利用して前後方向に回転させ、脚フレーム１の外方に垂下して位置する退避位置（Ｓ）にまで遷移させる。退避位置（Ｓ）にある天板５１は、図６に示すように、前端側が後端側よりも内側に位置しており、且つ、上端側が下端側よりも内側に位置しており、スタッキング時には、同一形状をなす他の椅子Ｃの天板５１と重合されるようになっている。
【００５８】
次いで、取付機構５ｂについて詳述する。
【００５９】
取付機構５ｂは、椅子本体Ｃ１に対して、メモ台本体５ａを支持させるためのものである。この取付機構５ｂは、二つの剛性を有した部材たる第一、第二の取付部材５５、５６、及び、これら第一、第二の取付部材５５、５６とを緊締結合させるための複数の止着具たるねじｖを主体に構成されている。第一、第二の取付部材５５、５６は、いわゆる半割構造をなしたものであり、椅子本体Ｃ１における第一、第二のフレーム要素１１ａ、１２ａを包み込んで保持し得るとともにメモ台本体５ａにおける第一、第二のメモ台フレーム要素５２ａ、５２ｂを包みこんで保持し得るように構成されている。換言すれば、取付機構５ｂは、椅子本体Ｃ１における第一、第二のフレーム要素１１ａ、１２ａを共に支持するのみならず、メモ台本体５ａにおける第一、第二のメモ台フレーム要素５２ａ、５２ｂを共に支持している。
【００６０】
取付機構５ｂは、メモ台フレーム５２ａの下部に配設されるものである。取付機構５ｂは、金属により一体に形成された第一の取付部材５５と、金属により一体に形成された第二の取付部材５６とを備えている。取付機構５ｂは、一方側（第一の取付部材５５）が左側の部位を形成するとともに他方側（第二の取付部材５６）が右側の部位を形成した半割構造をなしている。
【００６１】
まずは、第一の取付部材５５について詳述する。
【００６２】
第一の取付部材５５は、側面視において略ト字状をなすものであり、椅子本体Ｃ１における第一のフレーム要素１１ａの外側及び前記第二のフレーム要素１２ａの外側に配されている。
【００６３】
第一の取付部材５５は、フレーム形状に対応させて凹陥した上下方向に延びる第一のフレーム要素支持部５５１と、この第一のフレーム要素支持部５５１の前側に配され、フレーム形状に対応させて凹陥した前後方向に延びる第二のフレーム要素支持部５５２を備えている。更に、第一の取付部材５５は、フレーム形状に対応させて凹陥した上下方向に延びる第一のメモ台フレーム要素支持部５５３と、この第一のメモ台フレーム要素支持部５５３の前側に配され、フレーム形状に対応させて凹陥した前後方向に延びる第二のメモ台フレーム要素支持部５５４を備えている。この実施形態では、第一のフレーム要素支持部５５１の前側に第一のメモ台フレーム要素支持部５５３が配されており、第二のフレーム要素支持部５５３の上側に第二のメモ台フレーム要素支持部５５４が配されている。
【００６４】
第一のフレーム要素支持部５５１は、部分円筒状のもので、後脚１１の第一のフレーム要素１１ａを配設させるための配設空間ｓｐ１を形成している。第一のフレーム要素支持部５５１は、後脚１１の第一のフレーム要素１１ａの外側の表面に添接し得る内周面５５１ａを有している。第一のフレーム要素支持部５５１の上端縁及び下端縁は外部空間と連通し得るように開放されている。第一のフレーム要素支持部５５１の後端には、第二の取付部材５６と連結するためのねじｖが挿通されるねじ挿通孔５５１ｂ、及び、第二の取付部材５６と位置決めするための上下方向に延びる位置決め凸部５５１ｃが設けられている。
【００６５】
第二のフレーム要素支持部５５２は、部分円筒状のもので、前脚１２の第二のフレーム要素１２ａを配設させるための配設空間ｓｐ２を形成している。第二のフレーム要素支持部５５２は、前脚１２の第二のフレーム要素１２ａの外側の表面に添接し得る内周面５５２ａを有している。第二のフレーム要素支持部５５２の前端縁は外部空間と連通し得るように開放されており、後端縁は前記第一のフレーム要素支持部５５１の配設空間ｓｐ１に連通し得るように開放されている。第二のフレーム要素支持部５５２の下端には、第二の取付部材５６と連結するためのねじｖが挿通されるねじ挿通孔５５２ｂ、及び、第二の取付部材５６と位置決めするための位置決め凸部５５２ｃが設けられている。
【００６６】
第一のメモ台フレーム要素支持部５５３は、部分円筒状のもので、メモ台フレーム５２ａの第一のメモ台フレーム要素たる下部フレーム５２１ａを配設させるための配設空間ｓｐ３を形成している。第一のメモ台フレーム要素支持部５５３は、下部フレーム５２１ａの外側の表面に添接し得る内周面５５３ａを有している。第一のメモ台フレーム要素支持部５５３の上端縁は外部と連通し得るように開放されている。第二のメモ台フレーム要素支持部５３３の下端縁には、前記配設空間ｓｐ３と外部空間との間に介在する底壁５５３ｃが設けられている。第一のメモ台フレーム要素支持部５３３には、前端に第二の取付部材５６と連結するためのねじｖが挿通されるねじ挿通孔５５３ｂ、及び、第二の取付部材５６と位置決めするための位置決め凸部５５３ｄが設けられている。
【００６７】
第二のメモ台フレーム要素支持部５５４は、部分円筒状のもので、メモ台フレーム５２ａの第二のメモ台フレーム要素たる第二フレーム部材５２２を配設させるための配設空間ｓｐ４を形成している。第二のメモ台フレーム要素支持部５５４は、第二フレーム部材５２２の外側の表面に添接し得る内周面５５４ａを有している。第二のメモ台フレーム要素支持部５５４の前端縁は前記配設空間ｓｐ４と外部空間との間に介在する底壁５５４ｃが設けられており、後端縁は前記第一のメモ台フレーム要素支持部５５３の配設空間ｓｐ４に連通し得るように開放されている。第二のメモ台フレーム要素支持部５５４の前端部には、第二の取付部材５６と連結するためのねじｖが挿通されるねじ挿通孔５５４ｂが設けられている。第二のメモ台フレーム要素支持部５５４の前端部には、前記内周面５５４ａから内方に向かって突出する係合突部５５４ｄが形成されている。この係合突部５５４ｄは、メモ台本体５ａにおける第二フレーム部材５２２の切欠部５２２ａと係合し得るものである。第二のメモ台フレーム要素支持部５５４の上端部には、第二の取付部材５６と位置決めするための前後方向に延びる位置決め凸部５５４ｅが設けられている。
【００６８】
続いて、第二の取付部材５６について、詳述する。
【００６９】
第二の取付部材５６は、側面視において略ト字状をなすものであり、椅子本体Ｃ１における第一のフレーム要素１１ａの内側及び前記第二のフレーム要素１２ａの内側に配されている。
【００７０】
第二の取付部材５６は、フレーム形状に対応させて凹陥した上下方向に延びる第一のフレーム要素支持部５６１と、この第一のフレーム要素支持部５６１の前側に配され、フレーム形状に対応させて凹陥した前後方向に延びる第二のフレーム要素支持部５６２を備えている。更に、第二の取付部材５６は、フレーム形状に対応させて凹陥した上下方向に延びる第一のメモ台フレーム要素支持部５６３と、この第一のメモ台フレーム要素支持部５６３の前側に配され、フレーム形状に対応させて凹陥した前後方向に延びる第二のメモ台フレーム要素支持部５６４を備えている。この実施形態では、第一のフレーム要素支持部５６１の前側に第一のメモ台フレーム要素支持部５６３が配されており、第二のフレーム要素支持部５６３の上側に第二のメモ台フレーム要素支持部５６４が配されている。
【００７１】
第一のフレーム要素支持部５６１は、部分円筒状のもので、後脚１１の第一のフレーム要素１１ａを配設させるための配設空間ｓｐ５を形成している。第一のフレーム要素支持部５６１は、後脚１１の第一のフレーム要素１１ａの内側の表面に添接し得る内周面５６１ａを有している。第一のフレーム要素支持部５６１の上端縁及び下端縁は外部空間と連通し得るように開放されている。第一のフレーム要素支持部５６１の後端には、第一の取付部材５５と連結するためのねじｖが螺合するナット部５６１ｂ、及び、第一の取付部材５５と位置決めするための前記位置決め凸部５５１ｃと係わり合う位置決め凹部５６１ｃが設けられている。
【００７２】
第二のフレーム要素支持部５６２は、部分円筒状のもので、前脚１２の第二のフレーム要素１２ａを配設させるための配設空間ｓｐ６を形成している。第二のフレーム要素支持部５６２は、前脚１２の第二のフレーム要素１２ａの内側の表面に添接し得る内周面５６２ａを有している。第二のフレーム要素支持部５６２の前端縁は外部空間と連通し得るように開放されており、後端縁は前記第一のフレーム要素支持部５６１の配設空間ｓｐ５に連通し得るように開放されている。換言すれば、第二のフレーム要素支持部５６２は前端に第二のフレーム要素１２ａが通過可能な開口部５６２ｃを有している。第二のフレーム要素支持部５６２の下端には、第１の取付部材５５と連結するためのねじｖが螺合するナット部５６２ｂ、及び、第一の取付部材５５と位置決めするための前記位置決め凸部５５２ｃと係わり合う位置決め凹部５６２ｃが設けられている。なお、第二のフレーム要素支持部５６２は、基端から先端に至る長さが、隣接する第二のメモ台フレーム要素支持部５６４と比較して短く設定されており、脚フレーム１の横架材１３との干渉を避けている。
【００７３】
第一のメモ台フレーム要素支持部５６３は、部分円筒状のもので、メモ台フレーム５２ａの第一のメモ台フレーム要素たる下部フレーム５２１ａを配設させるための配設空間ｓｐ７を形成している。第一のメモ台フレーム要素支持部５６３は、下部フレーム５２１ａの内側の表面に添接し得る内周面５６３ａを有している。第一のメモ台フレーム要素支持部５６３の上端縁及び下端縁は外部と連通し得るように開放されている。第一のメモ台フレーム要素支持部５６３には、前端に第一の取付部材５５と連結するためのねじｖが螺合するナット部５６３ｂ、及び、第一の取付部材５５と位置決めするための前記位置決め凸部５５３ｄと係わり合う位置決め凹部５６３ｄが設けられている。
【００７４】
第二のメモ台フレーム要素支持部５６４は、部分円筒状のもので、メモ台フレーム５２ａの第二のメモ台フレーム要素たる第二フレーム部材５２２を配設させるための配設空間ｓｐ８を形成している。第二のメモ台フレーム要素支持部５６４は、第二フレーム部材５２２の内側の表面に添接し得る内周面５６４ａを有している。第二のメモ台フレーム要素支持部５６４の前端縁は前記配設空間ｓｐ８と外部空間との間に介在する底壁５６４ｃが設けられており、後端縁は前記第一のメモ台フレーム要素支持部５６３の配設空間ｓｐ７に連通し得るように開放されている。第二のメモ台フレーム要素支持部５６４の前端部には、第一の取付部材５５と連結するためのねじｖが螺合するナット部５６４ｂが設けられている。第二のメモ台フレーム要素支持部５６４の前端部には、前記内周面５６４ａから内方に向かって突出する係合突部５６４ｄが形成されている。この係合突部５６４ｄは、メモ台本体５ａにおける第二フレーム部材５２２の切欠部５２２ｂと係合し得るものである。第二のメモ台フレーム要素支持部５６４の上端部には、第一の取付部材５５と位置決めするための前後方向に延びる前記位置決め凸部５５４ｅと係わり合う位置決め凹部５６４ｅが設けられている。第二のメモ台フレーム要素支持部５６４における下端部の中間部分には、脚フレーム１の横架材１３との干渉を避けるための切欠部５６４ｆが設けられている。
【００７５】
以上に説明した取付機構５ｂにより、メモ台本体５ａを椅子本体Ｃ１に取り付けるようにしている。具体的には、取付機構５ｂを構成する第一の取付部材５５と第二の取付部材５６との間に、椅子本体Ｃ１における脚フレーム１の第一、第二のフレーム要素１１ａ、１２ａ、及び、メモ台本体５ａの第一のメモ台フレーム要素たる下部フレーム５２１ａ、並びに、メモ台本体５ａの第二のメモ台フレーム要素たる第二フレーム部材５２２を配設し、しかる後に、前記第一、第二の取付部材５５、５６によって、左右方向から前記各部位を挟んで支持し得るように構成されている。
【００７６】
第一、第二の取付部材５５、５６は、ねじｖにより緊締結合されるようになっている。これにより、第一、第二のフレーム要素１１ａ、１２ａの外面は、第一、第二の取付部材５５、５６における第一、第二のフレーム要素支持部５５１、５５２、５６１、５６２の内周面５５１ａ、５５２ａ、５６１ａ、５６２ａに密着し、当該第一、第二の取付部材５５、５６に対する移動が抑制される。さらに、第一、第二のメモ台フレーム要素（下部フレーム、第二フレーム部材）５２１ａ、５２２の外面は、第一、第二の取付部材５５、５６における第一、第二のメモ台フレーム要素支持部５５３、５５４、５６３、５６４の内周面５５３ａ、５５４ａ、５６３ａ、５６４ａに密着し、当該第一、第二の取付部材５５、５６に対する移動が抑制される。
【００７７】
なお、取付機構５ｂの椅子本体Ｃ１に対する取り付けに関し、第二の取付部材５６は、椅子本体Ｃ１に対して次のようにして所定の位置に仮配置される。すなわち、第二の取付部材５６は、図７に示すように、椅子本体Ｃ１の後方側から取り付けられる。後方から差し入れられた第二の取付部材５６は、座４における右側の側端縁と脚フレーム１における後脚１１及び前脚１１との間の隙間ｓｋに配される。第二の取付部材５６は、第二のメモ台フレーム要素支持部５５２に開口部５６２ｃが形成されているため、その開口部５６２ｃに前脚１２の第二のフレーム要素１２ａを通過させることができるようになっており、第二の取付部材５６を所定の位置にスムーズに仮配置させることができるようになっている。
【００７８】
以上説明したように、本実施形態に係る椅子Ｃは、第一のフレーム要素１１ａと、この第一のフレーム要素１１ａに連続するとともに前記第一のフレーム要素１１ａとは異なる方向に延びる第二のフレーム要素１２ａとを有した椅子本体Ｃ１と、この椅子本体Ｃ１に支持されたオプションたるメモ台５とを備えてなる。そして、メモ台５が、オプション本体たるメモ台本体５ａと、このメモ台本体５ａを支持するとともに前記第一、第二のフレーム要素１１ａ、１２ａを共に支持する取付機構５ｂとを備えている。このため、取付機構５ｂは第一のフレーム要素１１ａ及び第二のフレーム要素１２ａを共に支持するものであるため、椅子本体Ｃ１側にメモ台５を支持させるための特別な構造が要求されにくく、椅子本体Ｃ１の設計の自由度に優れた椅子Ｃを提供することができるものとなる。すなわち、この実施形態では、椅子本体Ｃ１に着脱自在にメモ台５を装着させることができるにも関わらず、椅子本体Ｃ１側にメモ台５を支持させるための特別な取付構造を備えていないため、椅子本体Ｃ１の外観が、メモ台５を装着するために損なわれることが無いものとなっている。
【００７９】
椅子本体Ｃ１が、パイプ材を主体に構成された脚フレーム１と、この脚フレーム１に支持された肘掛け２と、前記脚フレーム１に肘掛け２を介して間接的に支持された背凭れ３と、前記脚フレームに支持された座３とを備えたものである。そして、前記第一、第二のフレーム要素１１ａ、１２ａが、前記椅子本体Ｃ１を形成するフレーム状の部位である。このため、メモ台本体５ａが椅子本体Ｃ１に対して、好適に取り付けることができるものとなる。
【００８０】
第一のフレーム要素１１ａが後脚１１を構成するものであり、第二のフレーム要素１２ａが前脚１２を構成するものであるため、取付機構５ｂを好適に取り付けることができるものとなっている。
【００８１】
第一、第二のフレーム要素１１ａ、１２ａが、それぞれ丸型のパイプ材により形成されたものである。このようなものであっても、取付機構５ｂにより、椅子本体Ｃ１に対してメモ台本体５ａを好適に支持させることができるものとなっている。
【００８２】
取付機構５ｂが、第一の取付部材５５と第二の取付部材５６とを備えている。そして、第一の取付部材５５と第二の取付部材５６との間に位置させた前記第一、第二のフレーム要素１１ａ、１２ａを、前記第一、第二の取付部材５５、５６によって挟んで支持するように構成されている。より具体的には、前記第一の取付部材５５が、前記第一のフレーム要素１１ａの外側及び前記第二のフレーム要素１２ａの外側に配されたものであり、前記第二の取付部材５６が、前記第一のフレーム要素１１ａの内側及び前記第二のフレーム要素１２ａの内側に配されたものである。このため、第一、第二のフレーム要素１１ａ、１２ａを第一、第二の取付部材５５、５６によって挟み込むことにより、好適にメモ台本体５ａを椅子本体Ｃ１に支持させることができるものとなる。
【００８３】
メモ台５は、天板５１と、この天板５１を支持する支持体本体５２と、この支持体本体５２を椅子本体Ｃ１に取り付けるための取付機構５ｂとを備えている。そして、支持体本体５２が、第一のメモ台フレーム要素たる下部フレーム５２１ａと、この下部フレーム５２１ａに連続するとともに前記下部フレーム５２１ａとは異なる方向に延びる第二のメモ台フレーム要素たる第二フレーム部材５２２とを有している。取付機構５ｂが、前記第一、第二のメモ台フレーム要素たる下部フレーム５２１ａ、第二フレーム部材５２２を共に支持している。このため、メモ台本体５ａと取付機構５ｂを別個に離脱した部材として取り扱うことができるものとなり、メモ台５を構成する部品管理に便宜であるとともに、取付機構５ｂの製造のし易さに供するものとなる。
【００８４】
椅子本体Ｃ１が、使用位置（Ｕ）と跳ね上げ位置（Ｈ）との間で位置変更可能な座４を備えている。そして、メモ台５が、使用位置（Ｔ）と退避位置（Ｓ）との間で位置変更可能な天板５１を備えている。椅子Ｃは、前記座４を前記跳ね上げ位置（Ｈ）に保持した状態、及び、前記天板５１を前記退避位置（Ｓ）に保持した状態で、同一構造をなす他の椅子Ｃと前後方向にネスティングし得るように構成されている。このため、不使用時等において、椅子本体Ｃ１にメモ台５を装着した状態で、スペース効率良く収納することが可能になっている。
【００８５】
なお、本発明は、以上に詳述した実施形態に限られるものではない。
【００８７】
ここで、図１０では、他の実施形態である椅子Ｃを示している。なお、図１０において、前述した実施形態と同一又は対応する構成については、同一の符号を付して説明することとし、説明を省略する。
【００８８】
この実施形態では、取付機構５ｂを前述した実施形態と異なる部位に適用したものである。この実施形態では、椅子Ｃは、第一のフレーム要素たる肘掛け２の前後伸長部２４と、この前後伸長部２４に屈曲部２６を介して連続するとともに前記前後伸長部２４とは異なる方向に延びる第二のフレーム要素たる上下伸張部２５とを有した椅子本体Ｃ１と、この椅子本体Ｃ１に支持されたオプションたるメモ台５とを備えてなる。そして、メモ台５が、メモ台本体５ａと、このメモ台本体５ａを支持するとともに前記前後伸長部２４及び上下伸張部２５を共に支持する取付機構５ｂとを備えている。上下伸張部２５は、後脚１１の上端に一体に連設されたものである。前後伸長部２４と上下伸張部２５とは丸型パイプ材により一体に形成されている。このようなものであっても、所期の目的を達成することができるものとなる。なお、この実施形態では、取付機構５ｂは、メモ台５における第一のフレーム要素たる上部フレーム５２１ｃの下部、及び、メモ台５における第二のフレーム要素たる下部フレーム５２１ａを共に支持している。なお、メモ台本体５ｂと取付機構５ｂとは、あらかじめ相互に接続させた一体的なものとしてもよい。
【００９１】
ここで、図１１では、他の実施形態である椅子Ｃを示している。なお、図１１において、前述した実施形態と同一又は対応する構成については、同一の符号を付して説明することとし、説明を省略する。
【００９２】
この実施形態では、取付機構５ｂを上述した各実施形態とは異なる部位に適用したものであり、オプションが、上述した各実施形態とは異なるものとなっている。すなわち、オプションが、着座者の肘を掛けるための補助の肘掛け５である。
【００９３】
椅子Ｃは、第一のフレーム要素たる肘掛け２の取付部２３と、この取付部２３に連続するとともに前記取付部２３とは異なる方向に延びる補助支持部材２２とを有した椅子本体Ｃ１と、この椅子本体Ｃ１に支持されたオプションたる補助用の肘掛け５とを備えてなる。そして、補助用の肘掛け５が、上面側に肘当て面５７ｓを有した肘当て５７と、この肘当て５７を支持する肘掛けフレーム５８とを備えてなるオプション本体たる肘掛け本体５ａと、この肘掛け本体５ａを支持するとともに前記取付部２３及び補助支持部材２２を共に支持する取付機構５ｂとを備えている。このようなものであっても、所期の目的を達成することができるものとなる。取付機構５ｂの一部は、椅子本体Ｃ１の肘掛け２及び背凭れ３により形成されている連通空間ｒｋを有した左右方向開口部Ｋに内嵌されている。なお、この実施形態では、取付機構５ｂは、補助肘掛け５における第一のフレーム要素たる上部フレーム５８ｃの下部、及び、前記上部フレーム５８ｃの下部に屈曲部５８ｂを介して連続して設けられた補助肘掛け５における第二のフレーム要素たる下部フレーム５８ａを共に支持している。なお、肘掛け本体５ａと取付機構５ｂの全部又は一部は、あらかじめ相互に接続した一体的なものとしてもよい。
【００９４】
上述した実施形態では、第一、第二のフレーム要素は、丸型のパイプ材により形成されたものであったが、角柱状又は角筒状のフレーム部材やパイプ材を適用したものであってもよい。
【００９６】
第一、第二の取付部材は、左右方向に移動して、第一、第二のフレーム要素を挟むものには限られない。例えば、第一、第二の取付部材を前後方向に移動して第一、第二のフレーム要素を挟むように構成したものであってもよい。
【００９７】
上述した実施形態では、メモ台は、メモ台本体と取付機構とが着脱可能に別個に構成されたものについて説明したが、メモ台本体と取付機構とが一体に構成されたものであってもよい。例えば、メモ台本体に対して、取付機構を構成する第一の取付部材又は第二の取付部材の何れか一方が一体的に構成されているものであってもよい。
【００９８】
その他、各部の具体的構成についても上記実施形態に限られるものではなく、本発明の趣旨を逸脱しない範囲で種々変形が可能である。
【符号の説明】
【００９９】
５…メモ台（オプション）
５ａ…オプション本体
５ｂ…取付機構
１１ａ…第一のフレーム要素
１２ａ…第二のフレーム要素
Ｃ…椅子
Ｃ１…椅子本体
【図１】
0006490986.tif 000002
【図２】
0006490986.tif 000003
【図３】
0006490986.tif 000004
【図４】
0006490986.tif 000005
【図５】
0006490986.tif 000006
【図６】
0006490986.tif 000007
【図７】
0006490986.tif 000008
【図８】
0006490986.tif 000009
【図９】
0006490986.tif 000010
【図１０】
0006490986.tif 000011
【図１１】
0006490986.tif 000012